(57)【要約】【課題】コネクタピンへの着脱を容易に行うことのできるストラップコネクタ及びストラップコネクタを備えた楽器用ストラップを提供することにある。【解決手段】ギター用ストラップは、ストラップベルトと、ストラップベルトの両端に設けられた一対のストラップコネクタ１３とを備えている。ストラップコネクタ１３は、コネクタピン４の頭部４ａよりも大きい直径を有する第１の孔１６と、コネクタピン４の頭部４ａよりも小さい直径を有する第２の孔１７と、第１の孔及び第２の孔１６，１７を繋ぐと共にコネクタピン４の首部４ｂの直径よりも小さい幅を有するスリット１８とを含む基板１４からなる。ストラップコネクタ１３では、基板１４のスリット１８に隣接する部分Ａが撓む。【選択図】図２
2010107750.tif 000002
【特許請求の範囲】
【請求項１】
楽器用ストラップに適用され、楽器に取り付けられたコネクタピンに着脱されるストラップコネクタであって、
前記コネクタピンの頭部よりも大きい直径を有する第１の孔と、前記コネクタピンの頭部よりも小さい直径を有する第２の孔と、前記第１の孔及び前記第２の孔を繋ぐと共に前記コネクタピンの首部の直径よりも小さい幅を有するスリットとを含む基板からなり、
前記基板の前記スリットに隣接する部分が撓むことを特徴とするストラップコネクタ。
【請求項２】
請求項１記載のストラップコネクタにおいて、
前記基板は、剛性を有する材料からなることを特徴とするストラップコネクタ。
【請求項３】
請求項１又は２記載のストラップコネクタにおいて、
前記基板には、更に、前記第１及び第２の孔の一方から他方に向かって延びる長孔が設けられていることを特徴とするストラップコネクタ。
【請求項４】
請求項３記載のストラップコネクタにおいて、
前記基板には、前記第１及び第２の孔の一方から他方に向かって延びる第１の長孔と、他方から一方に向かって延びる第２の長孔とが設けられていることを特徴とするストラップコネクタ。
【請求項５】
請求項１〜４のうちいずれか一項に記載のストラップコネクタにおいて、
前記第１の孔の内周面と前記スリットの内側面とが滑らかな曲線に沿って繋がっていることを特徴とするストラップコネクタ。
【請求項６】
請求項１〜５のうちいずれか一項に記載のストラップコネクタにおいて、
前記第２の孔の内周面と前記スリットの内周面とが滑らかな曲線に沿って繋がっていることを特徴とするストラップコネクタ。
【請求項７】
請求項１〜６のうちいずれか一項に記載のストラップコネクタにおいて、
前記スリットの内側面は、円弧に沿って延びる曲面であることを特徴とするストラップコネクタ。
【請求項８】
請求項１〜７のうちいずれか一項に記載のストラップコネクタにおいて、
前記基板は、意匠面を構成する第１の面と、前記第１の面の裏側に位置する第２の面とを有し、前記第２の面には、前記楽器との接触による衝撃を緩和するための衝撃緩和部材が設けられていることを特徴とするストラップコネクタ。
【請求項９】
請求項１〜８のうちいずれか一項に記載のストラップコネクタにおいて、
前記基板は、ポリエチレン樹脂、ポリカーボネート樹脂、又はポリアセタール樹脂からなることを特徴とするストラップコネクタ。
【請求項１０】
ストラップベルトと、前記ストラップベルトの端部に設けられ、楽器に取り付けられたコネクタピンに着脱されるストラップコネクタとを備えた楽器用ストラップであって、
前記ストラップコネクタは、前記コネクタピンの頭部よりも大きい直径を有する第１の孔と、前記コネクタピンの頭部よりも小さい直径を有する第２の孔と、前記第１の孔及び前記第２の孔を繋ぐと共に前記コネクタピンの首部の直径よりも小さい幅を有するスリットとを含む基板からなり、
前記基板の前記スリットに隣接する部分が撓むことを特徴とする楽器用ストラップ。
【発明の詳細な説明】
【技術分野】
【０００１】
本発明は、楽器用ストラップに適用されるストラップコネクタ、及びストラップコネクタを備えた楽器用ストラップに関する。
【背景技術】
【０００２】
この種の楽器用ストラップとして、例えば、特許文献１に開示されるようなものが知られている。図１１（ａ），（ｂ）に示すように、楽器用ストラップ（以下、ストラップと称す）１００は、ストラップベルト１０１と、ストラップベルト１０１の長さを調節するアジャスタ１０２と、ストラップベルト１０１の端部に設けられたストラップコネクタ１０３とを備えている。楽器２００のボディ２０１には、ストラップコネクタ１０３を着脱するためのコネクタピン２０３が取り付けられている。ストラップコネクタ１０３には、コネクタピン２０３を挿通させて保持する保持孔１０４と、保持孔１０４からストラップベルト１０１に向けて延びるスリット１０５とが設けられている。演奏者は、楽器２００を肩や首に掛ける前に、ストラップコネクタ１０３のスリット１０５にコネクタピン２０３を挿入することによって、ストラップ１００を楽器２００のボディ２０１に取り付ける。
【０００３】
しかしながら、上記従来のストラップコネクタ１０３では、スリット１０５へのコネクタピン２０３の挿入がし難く、コネクタピン２０３への着脱が容易に行えなかった。そのため、例えば、コンサートやライブにおいて、演奏者がステージ上に複数台のギターを予め準備し、曲に合わせてギターを持ち替えて演奏する場合、演奏者にとって、ギター対するストラップの取り付け、取り外しを容易に行えない等の不都合が生じることがあった。また、ナイロン製や皮製のストラップコネクタを長い間使用していると、コネクタピンへの着脱が繰り返されることによりストラップコネクタがよれて変形したり、素材の経時変化によりストラップコネクタが硬くなることがある。特に、このような場合、コネクタピンに対するストラップコネクタの着脱がし難くなり、ストラップの取り付け、取り外しに時間を要するとの問題が生じやすかった。
【特許文献１】特開２００１−８３９６２号公報
【発明の開示】
【発明が解決しようとする課題】
【０００４】
本発明は、このような問題に鑑みてなされたものであり、その目的は、コネクタピンへの着脱を容易に行うことのできるストラップコネクタ及びストラップコネクタを備えた楽器用ストラップを提供することにある。
【課題を解決するための手段】
【０００５】
上記の目的を達成するために、請求項１に記載の発明は、楽器用ストラップに適用され、楽器に取り付けられたコネクタピンに着脱されるストラップコネクタであって、コネクタピンの頭部よりも大きい直径を有する第１の孔と、コネクタピンの頭部よりも小さい直径を有する第２の孔と、第１の孔及び第２の孔を繋ぐと共にコネクタピンの首部の直径よりも小さい幅を有するスリットとを含む基板からなり、基板のスリットに隣接する部分が撓むことを要旨とする。
【０００６】
この構成によれば、第１の孔はコネクタピンの頭部よりも大きい直径を有しているため、第１の孔にコネクタピンを容易に挿入することができる。また、基板のスリットに隣接する部分が撓むため、第１の孔に挿入したコネクタピンを、スリットを通して第２の孔に嵌め込むことができる。更に、第２の孔に嵌め込まれたコネクタピンを、スリットを通して第１の孔に戻し、ストラップコネクタから取り外すこともできる。こうした一連の手順によって、コネクタピンに対してストラップコネクタを容易に着脱することができる。
【０００７】
請求項２に記載の発明は、請求項１に記載の発明において、基板は、剛性を有する材料からなることを要旨とする。
この構成によれば、ストラップコネクタを形成する基板は剛性を有するため、ナイロン製や皮製のストラップコネクタとは異なり、コネクタピンへの着脱が繰り返されることによりストラップコネクタがよれて変形することがなく、また、素材の経時変化に伴い硬くなることもない。これにより、コネクタピンが挿入される第１の孔や、コネクタピンが通過するスリットの寸法変化を極力抑制することができる。よって、ストラップの取り付け、取り外しを繰り返しても、コネクタピンに対するストラップコネクタの着脱がし難くなることもない。
【０００８】
請求項３に記載の発明は、請求項１又は２に記載の発明において、基板には、更に、第１及び第２の孔の一方から他方に向かって延びる長孔が設けられていることを要旨とする。
【０００９】
この構成によれば、長孔とスリットとに囲まれた部分を他の部分から孤立させることによって、基板のスリットに隣接する部分を撓ませることができる。これにより、ストラップコネクタは、特定の部分にのみ可撓性を有することができる。
【００１０】
請求項４に記載の発明は、請求項３に記載の発明において、基板には、第１及び第２の孔の一方から他方に向かって延びる第１の長孔と、他方から一方に向かって延びる第２の長孔とが設けられていることを要旨とする。
【００１１】
この構成によれば、第１及び第２の長孔が協調して作用することによって、基板のスリットに隣接する部分での撓みを助長することができる。
請求項５に記載の発明は、請求項１〜４のうちいずれか一項に記載の発明において、第１の孔の内周面とスリットの内側面とが滑らかな曲線に沿って繋がっていることを要旨とする。
【００１２】
この構成によれば、第１の孔に挿入したコネクタピンを、スリットを通して第２の孔に円滑に嵌め込むことができる。よって、コネクタピンにストラップコネクタを一層容易に装着することができる。
【００１３】
請求項６に記載の発明は、請求項１〜５のうちいずれか一項に記載の発明において、第２の孔の内周面とスリットの内周面とが滑らかな曲線に沿って繋がっていることを要旨とする。
【００１４】
この構成によれば、第２の孔に嵌め込まれたコネクタピンを、スリットを通して第１の孔に円滑に戻すことができる。よって、コネクタピンからストラップコネクタを一層容易に取り外すことができる。
【００１５】
請求項７に記載の発明は、請求項１〜６のうちいずれか一項に記載の発明において、スリットの内側面は、円弧に沿って延びる曲面であることを要旨とする。
この構成によれば、第１の孔から第２の孔へのコネクタピンの移動、第２の孔から第１の孔へのコネクタピンの移動を一層円滑に行うことができる。よって、コネクタピンにストラップコネクタを装着したり、コネクタピンからストラップコネクタを取り外したりすることが更に容易に行える。
【００１６】
請求項８に記載の発明は、請求項１〜７のうちいずれか一項に記載の発明において、基板は、意匠面を構成する第１の面と、第１の面の裏側に位置する第２の面とを有し、第２の面には、楽器との接触による衝撃を緩和するための衝撃緩和部材が設けられていることを要旨とする。
【００１７】
コンサートやライブなどにおいて、演奏者が動きながら演奏するときに、ストラップコネクタが楽器のボディに接触して、ボディの表面に傷を付けてしまうことがある。その点、この構成によれば、衝撃緩和部材によって、ストラップコネクタがボディに接触してもその接触による衝撃が緩和されるため、ボディの表面に傷を付けないようにすることができる。
【００１８】
請求項９に記載の発明は、請求項１〜８のうちいずれか一項に記載の発明において、基板は、ポリエチレン樹脂、ポリカーボネート樹脂、又はポリアセタール樹脂からなることを要旨とする。
【００１９】
この構成によれば、ポリエチレン樹脂、ポリカーボネート樹脂、又はポリアセタール樹脂はいずれも機械的強度及び耐久性に優れているため、高い強度及び耐久性を有するストラップコネクタを提供することができる。
【００２０】
請求項１０に記載の発明は、ストラップベルトと、ストラップベルトの端部に設けられ、楽器に取り付けられたコネクタピンに着脱されるストラップコネクタとを備えた楽器用ストラップであって、ストラップコネクタは、コネクタピンの頭部よりも大きい直径を有する第１の孔と、コネクタピンの頭部よりも小さい直径を有する第２の孔と、第１の孔及び第２の孔を繋ぐと共にコネクタピンの首部の直径よりも小さい幅を有するスリットとを含む基板からなり、基板のスリットに隣接する部分が撓むことを要旨とする。
【００２１】
この構成によれば、請求項１と同等の作用効果を得ることのできる楽器用ストラップを提供することができる。
【発明の効果】
【００２２】
本発明によれば、コネクタピンへの着脱を容易に行うことのできるストラップコネクタ及びストラップコネクタを備えた楽器用ストラップを提供することができる。
【発明を実施するための最良の形態】
【００２３】
以下、本発明に係るストラップコネクタをギター用ストラップに適用したものに具体化した一実施形態について、図１〜図７を参照して説明する。
図１に示すように、ギター用ストラップ（以下、ストラップと称す）１０は、ストラップベルト（以下、ベルトと称す）１１と、ベルト１１の長さを調節するアジャスタ１２と、ベルト１１の両端に設けられた一対のストラップコネクタ１３とを備えている。一方、ギター１のボディ２は、ヘッド３に近い第１端部２ａと第１端部２ａの反対側に位置する第２端部２ｂとにコネクタピン４をそれぞれ有している。演奏者は、ギター１を肩に掛ける前に、ストラップコネクタ１３にコネクタピン４を装着することにより、ストラップ１０をギター１のボディ２に取り付ける。
【００２４】
図２〜図４に示すように、ストラップコネクタ１３は、所定の厚みを有する一枚の基板１４を含み、略三角形の平面形状を有している。基板１４は、ストラップコネクタ１３の意匠面を構成する第１の面１４ａと、第１の面１４ａの裏側に位置する第２の面１４ｂとを有している。基板１４の第１の面１４ａには、意匠性の向上のため、艶消しや鏡面仕上げ等の表面加工が施されている。また、図示はしないが、基板１４の第１の面１４ａには、ブランド名を表すロゴマークや模様などが印刷又は刻印されている。
【００２５】
第２の面１４ｂには、ギター１との接触による衝撃を緩和する衝撃緩和部材としての弾性部材１５が設けられている。弾性部材１５は、ゴムやエラストマー等の弾性材料をシート状に成形したものであって、基板１４の形状及び寸法に合わせて所定の形状に形成されている。弾性部材１５は、第２の面１４ｂの全体及び基板１４の外周縁の全体を覆うようにして、基板１４に一体化されている。基板１４の外周縁には、断面Ｌ字状の段差部１４ｃが設けられている。基板１４の段差部１４ｃには、弾性部材１５の外周縁が嵌め込まれている。ストラップコネクタ１３は、基板１４の外周縁に弾性部材１５を被覆することによって、断面略円形状の外周縁を有している。
【００２６】
基板１４は、剛性を有する樹脂材料からなり、射出成形により形成されている。基板１４を形成する樹脂材料として、成形性や機械的強度に優れる樹脂材料が用いられ、具体的には、ポリエチレン樹脂、ポリカーボネート樹脂、ポリアセタール樹脂等が挙げられる。これらのうち、機械的強度や耐久性に優れ、しかもゴムやエラストマー等の弾性部材１５との密着性にも優れているとの観点から、ポリアセタール樹脂が最も好ましい。
【００２７】
上述したように、ストラップコネクタ１３は、基板１４及び弾性部材１５を一体化して形成された構造体からなる。そして、その構造体には、コネクタピン４の頭部４ａが挿通される第１の孔１６と、コネクタピン４が保持される第２の孔１７と、第１の孔１６と第２の孔１７とを繋ぐスリット１８と、ベルト１１が通される通し孔１９とが設けられている。また、その構造体には、更に、スリット１８との間に撓む部分Ａを形成する一対の第１の長孔２０と、部分Ａでの撓みを助長する一対の第２の長孔２１とが設けられている。本実施形態において、第１及び第２の孔１６，１７、第１の長孔２０、及びスリット１８は一つの繋がった孔として形成されると共に、第２の長孔２１のみが独立した孔として形成されている。
【００２８】
通し孔１９は、略逆三角形状をなす基板１４の上端付近に設けられている。通し孔１９は、横方向に沿って延びる長孔からなり、ベルト１１の幅よりも少し大きめに形成されている。ベルト１１は、基板１４の通し孔１９に通されてベルト１１に縫合することにより、ストラップコネクタ１３の上端に固定される。通し孔１９の上面１９ａは平坦面であるのに対し、通し孔１９の下面１９ｂは円弧に沿って延びる曲面を含む。
【００２９】
第１の孔１６は、基板１４の略中央において通し孔１９に近接して設けられている。第１の孔１６は、略円形状を有している。第１の孔１６は、コネクタピン４の頭部４ａを挿入可能に形成されている。このため、第１の孔１６の直径は、コネクタピン４の頭部４ａの直径よりも大きく、具体的には、コネクタピン４の頭部４ａの外径の１１／１０〜３／２の範囲に設定されている。
【００３０】
第２の孔１７は、基板１４の略中央において第１の孔１６よりも下方に設けられている。第２の孔１７は、第１の孔１６と同じく略円形を有している。第２の孔１７は、コネクタピン４の頭部４ａを抜けないように保持する。このため、第２の孔１７の直径は、コネクタピン４の頭部４ａの直径よりも小さく、コネクタピン４の首部４ｂの直径と同等かそれよりも大きく設定されている。第１及び第２の孔１６，１７は、それらの中心線をストラップコネクタ１３の軸線Ｃ１と一致させるようにして配置されている。
【００３１】
スリット１８は、括れた形状を有している。スリット１８は、その軸線を第１及び第２の孔１６，１７の中心線と一致させるようにして配置されている。スリット１８は、対向する一対の内側面１８ａを有している。スリット１８の一対の内側面１８ａは、いずれも円弧に沿って延びる曲面からなる。また、スリット１８の幅は、スリット１８の中央で最も狭く、第１及び第２の孔１６，１７に向かうに従い広くなる。具体的には、スリット１８の幅は、スリット１８の中央でコネクタピン４の首部４ｂの直径の２／３〜１／４の範囲に設定されている。
【００３２】
スリット１８の上端では、スリット１８の内側面１８ａ及び第１の孔１６の内周面１６ａが滑らかな曲線に沿って繋がっている。同様に、スリット１８の下端でも、第２の孔１７の内周面１７ａ及びスリット１８の内側面１８ａが滑らかな曲線に沿って繋がっている。なお、第１の孔１６の内周面１６ａのうちスリット１８に近接する部分、スリット１８の両内側面１８ａ、及び第２の孔１７の内周面１７ａには、Ｃ面加工が施されている。
【００３３】
一対の第１の長孔２０は、第１の孔１６から第２の孔１７に向かってそれぞれ延びている。各第１の長孔２０は、いずれも同一寸法を有する略三日月形状を有している。各第１の長孔２０は、ストラップコネクタ１３の軸線Ｃ１を中心に対称に配置されている。また、一対の第２の長孔２１は、基板１４上の第２の孔１７に近接する位置から第１の孔１６に向かって延びている。各第２の長孔２１は、いずれも同一寸法を有する略Ｓ字状に形成されている。第２の長孔２１の幅は、第２の長孔２１の下端から先端に向かうに従い狭くなる。一対の第２の長孔２１も、第１の長孔２０と同じく、ストラップコネクタ１３の軸線Ｃ１を中心に対称に配置されている。
【００３４】
本実施形態では、スリット１８と一対の第１の長孔２０とにそれぞれ囲まれた２つの部分Ａ、即ち基板１４のスリット１８に隣接する部分Ａが撓むように形成されている。また、一対の第２の孔１７が、基板１４のスリット１８に隣接する部分Ａでの撓みを助長するために形成されている。このため、スリット１８は、基板１４のスリット１８に隣接する部分Ａでの撓みに起因して、第１及び第２の孔１６，１７間でのコネクタピン４の移動を規制する第１の形状（図７（ａ）参照）と、第１及び第２の孔１６，１７間でのコネクタピン４の移動を許容する第２の形状（図７（ｂ）参照）とを取り得る。
【００３５】
次に、コネクタピン４に対するストラップコネクタ１３の脱着について図５〜図７を参照して説明する。
コネクタピン４へのストラップコネクタ１３の装着に際し、まず、図５（ａ）に示すように、演奏者は、コネクタピン４の頭部４ａをストラップコネクタ１３の第１の孔１６に挿入する。このとき、第１の孔１６の直径はコネクタピン４の頭部４ａの直径よりも大きいため、第１の孔１６には、コネクタピン４の頭部４ａが容易に挿入される。第１の孔１６にコネクタピン４を挿入した時点で、コネクタピン４は、スリット１８の内側面１８ａと接触したり、接触したとしてもスリット１８の内側面１８ａを押圧したりしない。このため、図７（ａ）に示すように、基板１４のスリット１８に隣接する部分Ａには撓みが生じていない。よって、スリット１８は、コネクタピン４の通過を規制する第１の形状に保持されており、スリット１８の中央の幅は、コネクタピン４の首部４ｂの直径よりも小さく（狭く）なっている。
【００３６】
次に、図５（ｂ）に示すように、演奏者は、ストラップコネクタ１３を引き上げることにより、コネクタピン４を、スリット１８を通して第２の孔１７に嵌め込む。コネクタピン４がスリット１８を通過する際、図６及び図７（ｂ）に示すように、コネクタピン４の首部４ｂがスリット１８の内側面１８ａと接触して、両内側面１８ａを横方向（図６及び図７（ｂ）の矢印方向）に押圧する。その結果、基板１４のスリット１８に隣接する部分Ａが撓み、スリット１８は、図７（ａ）に示す第１の形状から押し広げられて、コネクタピン４の通過を許容する第２の形状（図７（ｂ）参照）へと変形させられる。こうして、スリット１８でのコネクタピン４の通過が許容されて、図５（ｃ）に示すように、第２の孔１７にコネクタピン４が嵌め込まれる。これにより、コネクタピン４にストラップコネクタ１３が装着されるため、ストラップ１０がギター１のボディ２に取り付けられる。
【００３７】
コネクタピン４からストラップコネクタ１３を取り外す際は、ストラップコネクタ１３を押し下げる。このときも、スリット１８の内側面１８ａがコネクタピン４の首部４ｂにより横方向（図６及び図７（ｂ）の矢印方向）に押圧されるため、基板１４のスリット１８に隣接する部分Ａが撓む。このため、スリット１８は、図７（ａ）に示す第１の形状から押し広げられて、図７（ｂ）に示す第２の形状へと変形させられる。こうして、スリット１８でのコネクタピン４の通過が許容されて、図５（ａ）に示すように、第１の孔１６にコネクタピン４が移動させられる。これにより、コネクタピン４からストラップコネクタ１３を外すことができ、ストラップ１０をギター１のボディ２から取り外すことができる。
【００３８】
本実施形態によれば、以下のような効果を得ることができる。
（１）ストラップコネクタ１３では、第１の孔１６がコネクタピン４の頭部４ａよりも大きい直径を有しているため、第１の孔１６にコネクタピン４を容易に挿入することができる。また、基板１４のスリット１８に隣接する部分Ａが撓むため、第１の孔１６に挿入したコネクタピン４を、スリット１８を通して第２の孔１７に嵌め込むことができる。更に、第２の孔１７に嵌め込まれたコネクタピン４を、スリット１８を通して第１の孔１６に戻し、ストラップコネクタ１３から取り外すこともできる。こうした一連の手順によって、コネクタピン４に対してストラップコネクタ１３を容易に着脱することができる。
【００３９】
（２）基板１４は、剛性を有する樹脂材料からなる。この構成によれば、ストラップコネクタ１３を形成する基板１４は剛性を有するため、ナイロン製や皮製のストラップコネクタとは異なり、コネクタピン４への着脱が繰り返されることによりストラップコネクタ１３がよれて変形することがなく、また、素材の経時変化に伴い硬くなることもない。これにより、コネクタピン４が挿入される第１の孔１６や、コネクタピン４が通過するスリット１８の寸法変化を極力抑制することができる。よって、ストラップ１０の取り付け、取り外しを繰り返しても、コネクタピン４に対するストラップコネクタ１３の着脱がし難くなることもない。
【００４０】
（３）第１の孔１６からは、第２の孔１７に向かって一対の第１の長孔２０が延びている。この構成によれば、スリット１８と一対の第１の長孔２０とにそれぞれ囲まれた２つの部分Ａを他の部分から孤立させることによって、基板１４のスリット１８に隣接する部分Ａを撓ませることができる。これにより、ストラップコネクタ１３は、全体として剛性を有しているものの、特定の部分にのみ可撓性を有することができる。従って、ストラップとしての機能を損なうことなく、コネクタピン４に対するストラップコネクタ１３の着脱を容易にすることができる。
【００４１】
（４）基板１４の略中央には、第２の孔１７付近から第１の孔１６に向かって延びる一対の第２の長孔２１が設けられている。この構成によれば、第１及び第２の長孔２０，２１が協調して作用することによって、基板１４のスリット１８に隣接する部分Ａでの撓みを助長することができる。従って、第１の孔１６から第２の孔１７へのコネクタピン４の移動、第２の孔１７から第１の孔１６へのコネクタピン４の移動を円滑に行うことができる。よって、コネクタピン４にストラップコネクタ１３を装着したり、コネクタピン４からストラップコネクタ１３を取り外したりすることが一層容易に行える。
【００４２】
（５）スリット１８の上端では、スリット１８の内側面１８ａ及び第１の孔１６の内周面１６ａが滑らかな曲線に沿って繋がっている。この構成によれば、第１の孔１６に挿入したコネクタピン４を、スリット１８を通して第２の孔１７に円滑に嵌め込むことができる。よって、コネクタピン４にストラップコネクタ１３を一層容易に装着することができる。
【００４３】
（６）スリット１８の下端でも、第２の孔１７の内周面１７ａ及びスリット１８の内側面１８ａが滑らかな曲線に沿って繋がっている。この構成によれば、第２の孔１７に嵌め込まれたコネクタピン４を、スリット１８を通して第１の孔１６に円滑に戻すことができる。よって、コネクタピン４からストラップコネクタ１３を一層容易に取り外すこともできる。
【００４４】
（７）スリット１８の一対の内側面１８ａは、いずれも円弧に沿って延びる曲面からなる。この構成によれば、第１の孔１６から第２の孔１７へのコネクタピン４の移動、第２の孔１７から第１の孔１６へのコネクタピン４の移動を一層円滑に行うことができる。よって、コネクタピン４にストラップコネクタ１３を装着したり、コネクタピン４からストラップコネクタ１３を取り外したりすることが更に容易に行える。
【００４５】
（８）コンサートやライブなどにおいて、演奏者が動きながら演奏するときに、ストラップコネクタ１３がギター１のボディ２に接触して、ボディ２の表面に傷を付けてしまうことがある。その点、本実施形態によれば、基板１４の第２の面１４ｂには、ギター１との接触による衝撃を緩和する衝撃緩和部材としての弾性部材１５が設けられている。この構成によれば、弾性部材１５によって、ストラップコネクタ１３がボディ２に接触してもその接触による衝撃が緩和されるため、ボディ２の表面に傷を付けないようにすることができる。
【００４６】
（９）基板１４を形成する樹脂材料として、具体的には、ポリエチレン樹脂、ポリカーボネート樹脂、ポリアセタール樹脂等が挙げられる。この構成によれば、ポリエチレン樹脂、ポリカーボネート樹脂、又はポリアセタール樹脂はいずれも機械的強度及び耐久性に優れているため、高い強度及び耐久性を有するストラップコネクタ１３を提供することができる。
【００４７】
なお、上記実施形態は以下のように変更してもよい。
・本実施形態において、第１及び第２の長孔２０，２１を省略してもよい。例えば、図８に示すように、第１及び第２の長孔２０，２１を省略したストラップコネクタ８０を採用してもよい。この場合、例えば、基板８１のスリット８２に隣接する部分Ａにおいて、同部分Ａを肉薄にすることによって可撓性を助長することもできる。これ以外にも、基板８１のスリット８２に隣接する部分Ａのみを可撓性材料により形成し、それ以外の部分を非可撓性材料により形成してもよい。
【００４８】
・本実施形態において、一対の第２の長孔２１のうちの一方又は両方を省略してもよい。例えば、図９に示すように、一対の第２の長孔２１を省略したストラップコネクタ９０を採用してもよい。この場合、ストラップコネクタ９０では、スリット９１と一対の第１の長孔９２とにそれぞれ囲まれた略Ｃ字状をなす部分Ａが撓む。
【００４９】
・本実施形態において、一対の第１の長孔２０のうち一方又は両方を省略してもよい。例えば、図１０（ａ），（ｂ）に示すように、第２の孔９７から第１の孔９６向かって延びる第２の長孔９８を備えたストラップコネクタ９５を採用してもよい。第２の長孔９８は、第２の孔９７に近接する略台形状の四角孔９８ａと、その四角孔９８ａら上方に延びる細長い孔９８ｂとからなる。この場合、ストラップコネクタ９５では、スリット９９と細長い孔９８ｂとに囲まれた略Ｃ字状をなす部分Ａが撓む。また、四角孔９８ａの両側部には、スリット９９の幅を広げるときに使用される一対の摘み部９８ｃが設けられている。
【００５０】
・本実施形態において、第１及び第２の孔１６，１７は、例えば、楕円や菱形などの形状に変更してもよい。また、第１及び第２の長孔２０，２１の形状も、ストラップコネクタ１３の意匠性を考慮して、任意の形状に変更してもよい。
【００５１】
・本実施形態において、上述した樹脂以外にも、例えば木材、金属、高強度ゴム等、剛性を有する任意の材料から基板１４を形成してもよい。
・本実施形態において、第１の孔１６の内周面１６ａとスリット１８の内側面１８ａとが滑らかな曲線に沿って繋がっていなくてもよく、例えば、鈍角をなすように交差していてもよい。同じく、第２の孔１７の内周面１７ａとスリット１８の内側面１８ａとが滑らかな曲線に沿って繋がっていなくてもよく、例えば、鈍角をなすように交差していてもよい。
【００５２】
・本実施形態において、スリット１８は、括れていなくてもよい。つまり、スリット１８の対向する一対の内側面１８ａは、互いに平行に配置される平坦面であってもよい。
・本実施形態において、ストラップコネクタ１３から弾性部材１５を省略してもよい。また、弾性部材１５は、ゴムやエラストマー等の弾性材料以外に、スポンジやフェルト等のクッション性に富む素材から形成してもよい。
【００５３】
・本発明のストラップコネクタ１３は、ギター用ストラップ１０に適用されるものとして具体化したが、これ以外にも、キーボードやエレキベース用ストラップに適用されるものとして具体化してもよい。
【００５４】
・本発明の楽器用ストラップは、ギター用ストラップ１０に具体化したが、これ以外にも、キーボードやエレキベース用ストラップに具体化してもよい。
【図面の簡単な説明】
【００５５】
【図１】本発明の一実施形態に係るストラップコネクタを適用したギター用ストラップがギターに装着されている状態を示す斜視図。
【図２】ストラップコネクタの平面図。
【図３】図２の３−３線に沿った断面図。
【図４】図２の４−４線に沿った断面図。
【図５】（ａ）はコネクタピンを第１の孔に挿入した状態を示す部分平面図、（ｂ）はコネクタピンがスリットを通過するときの状態を示す部分平面図、（ｃ）はコネクタピンが第２の孔に保持された状態を示す部分平面図。
【図６】コネクタピンがスリットを通過するときの状態を示す部分斜視図。
【図７】（ａ）はコネクタピンを第１の孔に挿入した状態を示す部分断面図、（ｂ）はコネクタピンがスリットを通過するときの状態を示す部分断面図。
【図８】別例のストラップコネクタの平面図。
【図９】別例のストラップコネクタの平面図。
【図１０】（ａ）は別例のストラップコネクタの平面図、（ｂ）は別例のストラップコネクタの断面図。
【図１１】（ａ）は従来のストラップコネクタを示す部分斜視図、（ｂ）は従来のストラップコネクタをコネクタピンに装着した状態を示す部分斜視図。
【符号の説明】
【００５６】
Ａ…部分、１…ギター（楽器）、４…コネクタピン、４ａ…頭部、４ｂ…首部、１０…ストラップ（楽器用ストラップ）、１１…ベルト（ストラップベルト）、１３…ストラップコネクタ、１４…基板、１４ａ…第１の面、１４ｂ…第２の面、１５…弾性部材（衝撃緩和部材）１６…第１の孔、１６ａ…内周面、１７…第２の孔、１７ａ…内周面、１８…スリット、１８ａ…内側面、２０…第１の長孔、２１…第２の長孔。
【図１】
2010107750.tif 000003
【図２】
2010107750.tif 000004
【図３】
2010107750.tif 000005
【図４】
2010107750.tif 000006
【図５】
2010107750.tif 000007
【図６】
2010107750.tif 000008
【図７】
2010107750.tif 000009
【図８】
2010107750.tif 000010
【図９】
2010107750.tif 000011
【図１０】
2010107750.tif 000012
【図１１】
2010107750.tif 000013